(57)【要約】【課題】利用者がプレビュー画面毎に設定操作を行うことなく、プレビュー画面を表示する。【解決手段】外部入力に基づいて、印刷プレビューを表示する際の１以上の設定項目について設定値を設定する印刷プレビュー設定部１０１と、印刷プレビューの表示が要求された場合に、設定された設定値に応じて生成された印刷プレビュー画像データに基づいて、表示部４に印刷プレビューを表示させる制御部１０４とを備える。【選択図】      図２
2011113180.tif 000002
【特許請求の範囲】
【請求項１】
印刷媒体に画像を印刷する印刷装置と接続され、前記印刷装置が印刷した場合の出力結果である印刷プレビューを表示する表示装置であって、
外部入力に基づいて、前記印刷プレビューを表示する際の１以上の設定項目について設定値を設定する印刷プレビュー設定手段と、
前記印刷プレビューの表示が要求された場合に、前記印刷プレビュー設定手段により設定された設定値に応じて生成された印刷プレビュー画像データに基づいて、表示部に前記印刷プレビューを表示させる制御手段と、
を備えたことを特徴とする表示装置。
【請求項２】
前記設定項目は、
前記印刷プレビューの画質に関する項目、及び前記印刷プレビューのレイアウトに関する項目のうち少なくともいずれか一方を含む
ことを特徴とする請求項１記載の表示装置。
【請求項３】
前記制御手段は、
前記表示部に表示させる複数の前記印刷プレビューの拡縮率及び座標のうち少なくともいずれか一方を同期して表示させる
ことを特徴とする請求項１又は２記載の表示装置。
【請求項４】
外部入力に基づいて、前記表示部に表示させる複数の前記印刷プレビューの配置順位を示す優先度を設定する優先度設定手段を、更に備え、
前記制御手段は、
前記優先度設定手段により設定された優先度に基づいて、前記表示部に前記印刷プレビューを表示させる
ことを特徴とする請求項１〜３のうちいずれか１項記載の表示装置。
【請求項５】
印刷媒体に画像を印刷する印刷装置と接続された表示装置が、前記印刷装置が印刷した場合の出力結果である印刷プレビューを表示するための表示プログラムであって、
外部入力に基づいて、前記印刷プレビューを表示する際の１以上の設定項目について設定値を設定する印刷プレビュー設定ステップと、
前記印刷プレビューの表示が要求された場合に、前記印刷プレビュー設定ステップにより設定された設定値に応じて生成された印刷プレビュー画像データに基づいて、表示部に前記印刷プレビューを表示させる制御ステップと、
を前記表示装置に実行させるための表示プログラム。
【発明の詳細な説明】
【技術分野】
【０００１】
本発明は、印刷媒体に印刷する印刷装置と接続され、印刷装置に印刷させるための印刷データに基づいて印刷プレビューを表示する表示装置及び表示プログラムに関する。
【背景技術】
【０００２】
一般的に、印刷プレビューの表示機能を有する表示装置が知られている。ここで、印刷プレビューの表示機能とは、印刷装置によって印刷出力されるデータのイメージを、印刷出力前に利用者が確認することができるように、印刷装置が印刷した場合の出力結果の画像を印刷プレビューとして表示装置に表示させる機能のことである。
【０００３】
例えば、特許文献１に、印刷プレビューの表示機能に関する技術が提案されている。具体的には、プレビュー画面の表示指示が入力されると、指定データを、指定された印刷装置の印刷設定情報に適合する印刷データに変換し、この印刷データに基づくプレビュー画面ＧＰ１を表示し、設定変更指示が入力されると、設定変更用のダイアログを表示して、利用者に印刷装置を指定させ、更に、利用者の指示に従い、その印刷装置の印刷設定情報を更新し、更新後の印刷設定情報に適合する印刷データを生成して、これに基づくプレビュー画面ＧＰ２を、設定変更前のプレビュー画面ＧＰ１と共に表示する情報処理装置が提案されている。
【先行技術文献】
【特許文献】
【０００４】
【特許文献１】特開２００６−２７７６０５号公報
【発明の概要】
【発明が解決しようとする課題】
【０００５】
しかしながら、特許文献１に記載の情報処理装置では、利用者は、プレビュー画面毎に、設定変更指示や印刷設定情報を更新するための操作を行う必要があったので、操作が非常に煩わしかった。
【０００６】
本発明は、上記課題に鑑みてなされたものであり、利用者がプレビュー画面毎に設定操作を行うことなく、プレビュー画面を表示する表示装置及び表示プログラムを提供することにある。
【課題を解決するための手段】
【０００７】
上記目的を達成するため、本発明に係る表示装置の第１の特徴は、印刷媒体に画像を印刷する印刷装置と接続され、前記印刷装置が印刷した場合の出力結果である印刷プレビューを表示する表示装置であって、外部入力に基づいて、前記印刷プレビューを表示する際の１以上の設定項目について設定値を設定する印刷プレビュー設定手段と、前記印刷プレビューの表示が要求された場合に、前記印刷プレビュー設定手段により設定された設定値に応じて生成された印刷プレビュー画像データに基づいて、表示部に前記印刷プレビューを表示させる制御手段とを備えたことにある。
【０００８】
本発明に係る表示装置の第２の特徴は、前記設定項目は、前記印刷プレビューの画質に関する項目、及び前記印刷プレビューのレイアウトに関する項目のうち少なくともいずれか一方を含むことにある。
【０００９】
本発明に係る表示装置の第３の特徴は、前記制御手段は、前記表示部に表示させる複数の前記印刷プレビューの拡縮率及び座標のうち少なくともいずれか一方を同期して表示させることにある。
【００１０】
本発明に係る表示装置の第４の特徴は、外部入力に基づいて、前記表示部に表示させる複数の前記印刷プレビューの配置順位を示す優先度を設定する優先度設定手段を、更に備え、前記制御手段は、前記優先度設定手段により設定された優先度に基づいて、前記表示部に前記印刷プレビューを表示させることにある。
【００１１】
本発明に係る表示プログラムの第１の特徴は、印刷媒体に画像を印刷する印刷装置と接続された表示装置が、前記印刷装置が印刷した場合の出力結果である印刷プレビューを表示するための表示プログラムであって、外部入力に基づいて、前記印刷プレビューを表示する際の１以上の設定項目について設定値を設定する印刷プレビュー設定ステップと、前記印刷プレビューの表示が要求された場合に、前記印刷プレビュー設定ステップにより設定された設定値に応じて生成された印刷プレビュー画像データに基づいて、表示部に前記印刷プレビューを表示させる制御ステップとを備えたことにある。
【発明の効果】
【００１２】
本発明に係る表示装置の第１の特徴によれば、利用者がプレビュー画面毎に設定操作を行うことなく、プレビュー画面を表示することができる。
【００１３】
本発明に係る表示装置の第２の特徴によれば、印刷プレビューの画質及びレイアウトのいずれか一方を設定することができる。
【００１４】
本発明に係る表示装置の第３の特徴によれば、利用者は、表示された印刷プレビューの一部の詳細な部分を比較することができる。
【００１５】
本発明に係る表示装置の第４の特徴によれば、利用者により設定された優先度の高い項目のプレビュー画像ほど近くなるように表示させるので、利用者は印刷プレビュー画像をより比較しやすくなる。
【００１６】
本発明に係る表示プログラムの第１の特徴によれば、利用者がプレビュー画面毎に設定操作を行うことなく、プレビュー画面を表示することができる。
【図面の簡単な説明】
【００１７】
【図１】本発明の実施例１である表示装置が適用された印刷システムの構成を示した構成図である。
【図２】本発明の実施例１である表示装置が備えるＣＰＵ及びＲＡＭの構成を示した構成図である。
【図３】本発明の実施例１である表示装置に接続された表示部に表示されたプレビュー組合せ設定画面の一例を示した図である。
【図４】本発明の実施例１である表示装置に接続された表示部に表示されたプレビュー組合せ設定画面から設定される設定項目及び設定値の一覧を示した図である。
【図５】本発明の実施例１である表示装置における処理手順を示したフローチャートである。
【図６】本発明の実施例１である表示装置に接続された表示部に表示された優先度設定画面の一例を示した図である。
【図７】本発明の実施例１である表示装置に接続された表示部に表示された印刷プレビュー画像表示画面の一例を示した図である。
【図８】本発明の実施例１である表示装置に接続された表示部に表示された印刷プレビュー画像表示画面上に表示された印刷プレビューの拡縮率及び座標の同期を説明する図である。
【図９】本発明の実施例１である表示装置に接続された表示部に表示されたプレビュー組合せ設定画面から設定される設定項目及び設定値の一覧を示した図である。
【発明を実施するための形態】
【００１８】
以下、本発明の実施の形態を、図面を参照しながら詳細に説明する。
【実施例１】
【００１９】
本発明の実施例１では、印刷媒体に印刷する印刷装置と、この印刷装置に接続され、印刷装置に印刷させるための印刷データに基づいて印刷プレビューを表示する表示装置とを備えた印刷システムを例に挙げて説明する。
【００２０】
＜印刷システムの構成＞
図１は、本発明の実施例１である表示装置が適用された印刷システムの構成を示した構成図である。
【００２１】
図１に示すように、印刷システム１０は、表示装置１と、印刷装置２と、表示部４と、入力部５とを備えている。
【００２２】
印刷装置２は、表示装置１から供給される印刷データに基づいて、例えば、インクジェットヘッドからシアン（Ｃ）、マゼンタ（Ｍ）、イエロー（Ｙ）、及びブラック（Ｋ）の合計４色のインクを吐出することにより、所定の寸法に切断された印刷媒体に対してカラー印刷を行うインクジェット方式のプリンタである。
【００２３】
表示部４は、有機ＥＬ（electroluminescence）ディスプレイや、液晶ディスプレイ等の画像出力装置を備え、表示装置１から供給された出力信号に基づいて、後述するプレビュー組合せ設定画面等の各種画面を表示する。
【００２４】
入力部５は、マウスやキーボード等を備えており、利用者の操作により操作信号を生成して表示装置１へ供給する。
【００２５】
表示装置１は、ＣＰＵ１１と、ＲＯＭ１２と、ＲＡＭ１３と、印刷インタフェース１４と、ハードディスクドライブ１５と、ＣＤ−ＲＯＭドライブ１６と、通信インタフェース１７と、入力インタフェース１８と、出力インタフェース１９とを備えており、それぞれは、バス２０を介して接続されている。
【００２６】
ＲＯＭ１２は、不揮発性半導体等で構成され、ＣＰＵ１１が実行する各種プログラム等を記憶している。
【００２７】
ＲＡＭ１３は、揮発性半導体等で構成され、ＣＰＵ１１が各種処理を実行する上で必要な各種プログラムや印刷装置２に印刷させるための印刷データを一時的に記憶する。また、ＲＡＭ１３は、設定記憶部１３１と、印刷プレビュー画像記憶部１３２とを備えており、設定記憶部１３１は、印刷プレビュー画像データを生成するための設定項目及び設定値を記憶し、印刷プレビュー画像記憶部１３２は、後述する印刷プレビュー画像生成部１０２により生成された印刷プレビュー画像データを記憶する。
【００２８】
印刷インタフェース１４は、接続ケーブルを介して印刷装置２と接続するための接続インタフェースであり、ＣＰＵ１１からの指示により、印刷データを印刷装置２へ供給する。
【００２９】
ハードディスクドライブ１５は、ソフトウェアとしてオペレーティングシステム（以下、ＯＳという）や、印刷データを生成可能なアプリケーションプログラム（以下、ＡＰＰという）等が記憶されており、これらのソフトウェアは、ＣＰＵ１１により読み出され適宜ＲＡＭ１３に転送される。
【００３０】
ＣＤ−ＲＯＭドライブ１６は、例えば、表示プログラムが記憶されたＣＤ−ＲＯＭから表示プログラムを読み出され、ＣＰＵ１１により表示プログラムがインストールされる。
【００３１】
通信インタフェース１７は、ネットワークカードなどの通信インタフェースであり、この通信インタフェース１７により外部ネットワークに接続することによって、外部ネットワークに接続されたコンピュータから印刷データ等の様々なデータが供給される。
【００３２】
入力インタフェース１８は、入力部５から供給された操作信号をＣＰＵ１１へ供給する。
【００３３】
出力インタフェース１９は、ＣＰＵ１１から供給された出力信号に基づいて、表示部４に各種画面を表示させる。
【００３４】
ＣＰＵ１１は、表示装置１の中枢的制御を行う。表示装置１が起動されると、まず、ＣＰＵ１１は、バイオスを実行し、その上層にてＯＳとＡＰＰとを実行する。
【００３５】
ＯＳにはハードウェアを制御するための各種のドライバ類が組み込まれ、ＯＳが実行されることにより各種ハードウェアの制御が実行される。
【００３６】
このドライバ類には、出力インタフェース１９を制御するためのディスプレイドライバや、印刷インタフェース１４を制御するためのプリンタドライバが含まれる。また、プリンタドライバには、表示プログラムが含まれており、ＣＰＵ１１が、表示プログラムが実行することにより、本発明の実施例１である表示装置１を構成する。
【００３７】
図２は、本発明の実施例１である表示装置１が備えるＣＰＵ１１及びＲＡＭ１３の構成を示した構成図である。
【００３８】
図２に示すように、ＣＰＵ１１は、表示プログラムを含むプリンタドライバが実行されることにより、その機能上、印刷プレビュー設定部１０１と、印刷プレビュー画像生成部１０２と、優先度設定部１０３と、表示制御部１０４とが実装される。
【００３９】
印刷プレビュー設定部１０１は、印刷プレビューを生成するためのプレビュー組合せ設定画面が表示部４に表示されているときに、利用者の操作により入力部５から供給された操作信号に基づいて、印刷プレビューを表示する際の１以上の設定項目について設定値を設定する。
【００４０】
図３は、表示部４に表示されたプレビュー組合せ設定画面の一例を示した図である。
【００４１】
図３に示すように、プレビュー組合せ設定画面には、印刷プレビューの原稿及び印刷用紙に関する各設定項目について設定するための原稿／出力用紙シート２１０と、印刷プレビューのレイアウトに関する各設定項目について設定するためのレイアウトシート２１１と、印刷プレビューの画質に関する各設定項目について設定するためのイメージ処理シート２１２と、印刷の仕上げに関する各設定項目について設定するための仕上げシート２１３と、その他の各設定項目について設定するための応用シート２１４とが備えられている。
【００４２】
これらの各シートは、利用者の操作により表示切り替えが可能であり、図３では、イメージ処理シート２１２が利用者により選択されて表示された場合の例を示している。
【００４３】
イメージ処理シート２１２は、設定項目２０３として、「原稿モード」、「文字スムージング」、「ガンマ調整」、「スクリーニング」、「画像品質」、及び「プリント濃度」が表示されている。さらに、設定項目２０３の各設定を個別に選択するための設定値チェックボックス２０５と、設定値チェックボックス２０５のすべてを選択するためのチェックボックス２０４とを備えている。
【００４４】
そして、利用者により所定のチェックボックス２０４及び設定値チェックボックス２０５が選択された後、ＯＫボタン２１０が押下操作されると、入力部５は、プレビュー組合せ設定が設定されたことを示す操作信号と、選択された設定項目及びその設定値とを表示装置１へ供給する。
【００４５】
なお、その他のシートについても、イメージ処理シート２１２と同様に、設定項目及び設定値が表示され、利用者の操作に基づいて、入力部５は、プレビュー組合せ設定が設定されたことを示す操作信号と、選択された設定項目及びその設定値とを表示装置１へ供給する。
【００４６】
そして、表示装置１のＣＰＵ１１は、入力インタフェース１８を介して入力部５から、操作信号と共に選択された設定項目及びその設定値が供給されると、供給された設定項目及びその設定値をＲＡＭ１３の設定記憶部１３１に記憶させる。
【００４７】
例えば、図３に示した例において、利用者により、設定項目２０３「スクリーニング」のすべてを選択するためのチェックボックス２０４が選択された後、ＯＫボタン２１５が押下操作されると、入力部５は、プレビュー組合せ設定が設定されたことを示す操作信号と、設定項目として「スクリーニング」、及びその設定値として「濃度拡散」、「網点処理（７０線）」、及び「網点処理（１００線）」とを表示装置１へ供給する。
【００４８】
そして、表示装置１のＣＰＵ１１は、入力インタフェース１８を介して入力部５から、操作信号と共に選択された設定項目として「スクリーニング」と、その設定値として「濃度拡散」、「網点処理（７０線）」、及び「網点処理（１００線）」とをＲＡＭ１３の設定記憶部１３１に記憶させる。
【００４９】
図４は、プレビュー組合せ設定画面から設定される設定項目及び設定値の一覧を示した図である。
【００５０】
図４に示すように、各設定項目２０３の種類毎にグルーピングされたグループ名（シート名）毎に、各設定項目とその設定値が定められており、図３に示したプレビュー組合せ設定画面において、原稿／出力用紙シート２１０、レイアウトシート２１１、イメージ処理シート２１２、仕上げシート２１３、及び応用シート２１４について、各設定項目の設定値を選択することができる。
【００５１】
図２に戻り、印刷プレビュー画像生成部１０２は、印刷プレビューの表示が要求された場合に、印刷プレビュー設定部１０１により設定された設定値に基づいて、印刷プレビューを表示するための印刷プレビュー画像データを生成する。
【００５２】
優先度設定部１０３は、入力部５から供給された操作信号に基づいて、表示部４に表示させる複数の印刷プレビューの配置順位を示す優先度を設定する。
【００５３】
表示制御部１０４は、ＲＡＭ１３の印刷プレビュー画像記憶部１３２に記憶された印刷プレビュー画像データに基づいて表示する。その際、表示制御部１０４は、優先度設定部１０３により設定された優先度に基づいて印刷プレビューを配置して表示部４に表示させる。
【００５４】
＜表示装置１の作用＞
次に、本発明の実施例１である表示装置１の作用について説明する。
【００５５】
図５は、本発明の実施例１である表示装置１における処理手順を示したフローチャートである。
【００５６】
図５に示すように、まず、ＣＰＵ１１は、印刷プレビューの表示が要求されたか否かを判定する（ステップＳ１０１）。具体的には、ＣＰＵ１１は、入力インタフェース１８を介して入力部５から印刷プレビューの表示を要求する要求信号が供給されたか否かを判定する。
【００５７】
ステップＳ１０１において、ＣＰＵ１１は、印刷プレビューの表示が要求されたと判定された場合、プレビュー組合せ設定が有効か否かを判定する（ステップＳ１０３）。具体的には、ＣＰＵ１１は、ＲＡＭ１３の設定記憶部１３１に、プレビュー組合せ設定に関する設定項目及び設定値が記憶されているか否かを判定する。
【００５８】
ステップＳ１０３において、プレビュー組合せ設定が有効であると判定された場合（ＹＥＳの場合）、ＣＰＵ１１は、ＲＡＭ１３の設定記憶部１３１からプレビュー組合せ設定に関する設定項目及び設定値を読み出す（ステップＳ１０５）。
【００５９】
次に、ＣＰＵ１１の印刷プレビュー画像生成部１０２は、ステップＳ１０５において読み出された設定項目及び設定値に基づいて、印刷プレビューを表示するための印刷プレビュー画像データを生成する（ステップＳ１０７）。
【００６０】
そして、印刷プレビュー画像生成部１０２は、生成した印刷プレビュー画像データをＲＡＭ１３の印刷プレビュー画像記憶部１３２に記憶させる（ステップＳ１０９）。
【００６１】
次に、印刷プレビュー画像生成部１０２は、ＲＡＭ１３の設定記憶部１３１に記憶された全ての設定項目及び設定値に対応する印刷プレビュー画像データを生成したか否かを判定する（ステップＳ１１１）。
【００６２】
ステップＳ１１１において、全ての設定項目及び設定値に対応する印刷プレビュー画像データを生成したと判定された場合、ＣＰＵ１１の優先度設定部１０３は、優先度が設定するための優先度設定画面を表示部４に表示させる（ステップＳ１１３）。
【００６３】
図６は、表示部４に表示された優先度設定画面の一例を示した図である。図６では、ＲＡＭ１３の設定記憶部１３１に、設定項目として「スクリーニング」と、その設定値として「濃度拡散」、「網点処理（７０線）」、及び「網点処理（１００線）」とが記憶された例を示している。
【００６４】
図６に示すように、優先度設定画面には、印刷プレビューの設定一覧を表示する設定一覧表示領域３０１が備えられており、設定一覧表示領域３０１には、ＲＡＭ１３の設定記憶部１３１に記憶された全ての設定値「濃度拡散」、「網点処理（７０線）」、及び「網点処理（１００線）」にそれぞれ対応するプレビュー設定１〜３が一覧表示される。ここで、このプレビュー設定１〜３の表示順位が優先度（上位に表示されたものほど優先度高）を示している。
【００６５】
また、利用者により所定のプレビュー設定が選択された後、上へボタン３０２又は下へボタン３０３が押下操作されると、押下操作に応じて選択されたプレビュー設定の優先度が繰り上がるか、又は繰り下がる。
【００６６】
そして、利用者により閉じるボタン３０４が押下操作されると、表示部４は、優先度設定画面を消去し、入力部５は、優先度が設定されたことを示す操作信号と、プレビュー設定１〜３の優先度とを表示装置１へ供給する。表示装置１のＣＰＵ１１の優先度設定部１０３は、入力インタフェース１８を介して入力部５から、優先度が設定されたことを示す操作信号と、プレビュー設定１〜３の優先度とをＲＡＭ１３の設定記憶部１３１に記憶させる。ここでは、プレビュー設定１，２，３の順で優先度が記憶されたとする。
【００６７】
次に、ＣＰＵ１１の優先度設定部１０３は、優先度設定画面が消去されると、優先度が設定されているか否かを判定する（ステップＳ１１５）。具体的には、ＣＰＵ１１は、ＲＡＭ１３の設定記憶部１３１に、優先度が記憶されているか否かを判定する。
【００６８】
ステップＳ１１５において、優先度が設定されていると判定された場合（ＹＥＳの場合）、ＣＰＵ１１の表示制御部１０４は、ＲＡＭ１３の設定記憶部１３１に記憶された優先度に基づいて、表示部４に、印刷プレビューを表示させる（ステップＳ１１７）。
【００６９】
図７は、表示部４に表示された印刷プレビュー画像表示画面の一例を示した図である。
【００７０】
図７に示すように、印刷プレビュー画像表示画面には、ＲＡＭ１３の設定記憶部１３１に記憶された優先度に基づいて、紙面向かって左から順に、印刷プレビュー４０１〜４０３が配置されている。ＲＡＭ１３の設定記憶部１３１には、プレビュー設定１，２，３の順で優先度が記憶されているので、プレビュー設定１である誤差拡散処理された印刷プレビュー４０１が最も左に表示され、プレビュー設定２である網点処理（７０線）された印刷プレビュー４０２が左から２番目に表示され、プレビュー設定３である網点処理（１００線）された印刷プレビュー画像４０３が左から３番目に表示される。
【００７１】
また、図７に示すように、印刷プレビュー画像表示画面には、印刷プレビューの優先度、即ち配置順位を右へ移動するための右移動ボタン４０４と、印刷プレビューの配置順位を左へ移動するための左移動ボタン４０５とを備えている。
【００７２】
例えば、利用者により、印刷プレビュー画像４０１の上部の右移動ボタン４０４が押下操作されると、印刷プレビュー４０１が右側、即ち印刷プレビュー４０２の表示位置に配置されると共に、印刷プレビュー４０２が印刷プレビュー４０１の表示位置に配置される。
【００７３】
一方、ステップＳ１１５において、優先度が設定されていないと判定された場合（ＮＯの場合）、ＣＰＵ１１の表示制御部１０４は、印刷プレビュー画像データが生成された順に、表示部４に、印刷プレビューを表示させる（ステップＳ１１７）。
【００７４】
以上のように、本発明の実施例１である表示装置１によれば、印刷プレビューの表示が要求された場合に、設定された設定値に基づいて生成した印刷プレビュー画像データを記憶し、記憶された印刷プレビュー画像データに基づいて、表示部４に印刷プレビューを一括表示させるので、利用者がプレビュー画面毎にそれぞれ印刷設定に関する操作を行うことなく、プレビュー画面を表示することができる。
【００７５】
また、本発明の実施例１である表示装置１では、印刷プレビュー画像表示画面上に表示させた印刷プレビューについて、拡縮率及び座標を同期して表示させることができる。
【００７６】
図８は、印刷プレビュー画像表示画面上に表示された印刷プレビューの拡縮率及び座標の同期を説明する図である。
【００７７】
図８に示すように、印刷プレビュー画像表示画面には、倍率を同期するための倍率同期チェックボックス４０８と、座標の移動を同期するための座標同期チェックボックス４０９と、倍率を設定するための倍率設定スピンボタン４１０ａ〜４１０ｃと、印刷プレビューをスクロールするためのスクロールバー４１１ａ〜４１１ｃとが備えられている。
【００７８】
利用者操作により、倍率同期チェックボックス４０８がチェックされると、印刷プレビュー４０１〜４０３の倍率が同期して拡大又は縮小される。例えば、倍率同期チェックボックス４０８がチェックされた後、利用者操作により、倍率設定スピンボタン４１０ａにより倍率が設定されると、この設定された倍率に応じて印刷プレビュー４０１が拡大又は縮小されると共に、印刷プレビュー４０２〜４０３も同様に、倍率設定スピンボタン４１０ａにより設定された倍率に応じて拡大又は縮小される。
【００７９】
また、利用者操作により、座標同期チェックボックス４０９がチェックされると、印刷プレビュー４０１〜４０３が同期して移動される。例えば、座標同期チェックボックス４０９がチェックされた後、利用者により、スクロールバー４１１ａが操作されると、この操作された移動量に応じて印刷プレビュー４０１が上下方向又は左右方向に移動すると共に、印刷プレビュー４０２〜４０３も同様に、スクロールバー４１１ａの操作による移動量に応じて上下方向又は左右方向に移動する。
【００８０】
図８に示した例では、倍率同期チェックボックス４０８及び座標同期チェックボックス４０９がチェックされた場合を示しており、この場合、印刷プレビュー４０１〜４０３は、同期して拡大及び移動されているので、印刷プレビュー４０１〜４０３全てにおいて、拡大された「Ａ」の左上部の一部が表示されている。
【００８１】
このように、本発明の実施例１である表示装置１によれば、表示部４に表示させる複数の印刷プレビューの拡縮率及び座標のうち少なくともいずれか一方を同期して表示させるので、利用者は、印刷プレビュー４０１〜４０３の一部の詳細な部分を比較することができる。
【００８２】
また、図８に示すように、印刷プレビュー画像表示画面には、印刷ボタン４１２ａ〜４１２ｃが備えられており、利用者操作により押下操作されることにより、表示装置１は、対応する印刷データに基づいて、印刷装置２に印刷させる。
【００８３】
なお、本発明の実施例１である表示装置１では、優先度設定画面にプレビュー設定の一覧を表示し、この表示されたプレビュー設定の優先度に基づいて、印刷プレビューを表示したが、これに限らず、優先度設定画面に、設定された設定項目の一覧を表示し、この表示された設定項目の優先度に基づいて、プレビュー画像を表示するようにしてもよい。
【００８４】
例えば、設定項目として原稿モード、文字スムージング、及びガンマ調整が設定された場合、図６に示した優先度設定画面には、「原稿モード」、「文字スムージング」、及び「ガンマ調整」を一覧表示する。そして、利用者操作により設定された設定項目の優先度が、「原稿モード」、「ガンマ調整」、「文字スムージング」の順であった場合、ＣＰＵ１１の表示制御部１０４は、優先度の高い項目の印刷プレビューほど近くなるように、画面左から下記の（１）〜（８）の順に配置させる。
【００８５】
（１）「原稿モード」が“写真優先”、「ガンマ調整」が“ＯＮ”、「文字スムージング」が“ＯＮ”である印刷プレビュー
（２）「原稿モード」が“写真優先”、「ガンマ調整」が“ＯＮ”、「文字スムージング」が“ＯＦＦ”である印刷プレビュー
（３）「原稿モード」が“写真優先”、「ガンマ調整」が“ＯＦＦ”、「文字スムージング」が“ＯＮ”である印刷プレビュー
（４）「原稿モード」が“写真優先”、「ガンマ調整」が“ＯＦＦ”、「文字スムージング」が“ＯＦＦ”である印刷プレビュー
（５）「原稿モード」が“文字優先”、「ガンマ調整」が“ＯＮ”、「文字スムージング」が“ＯＮ”である印刷プレビュー
（６）「原稿モード」が“文字優先”、「ガンマ調整」が“ＯＮ”、「文字スムージング」が“ＯＦＦ”である印刷プレビュー
（７）「原稿モード」が“文字優先”、「ガンマ調整」が“ＯＦＦ”、「文字スムージング」が“ＯＮ”である印刷プレビュー
（８）「原稿モード」が“文字優先”、「ガンマ調整」が“ＯＦＦ”、「文字スムージング」が“ＯＦＦ”である印刷プレビュー
このように、優先度の高い項目のプレビュー画像ほど近くなるように表示させることにより、利用者は印刷プレビュー画像をより比較しやすくなる。
【００８６】
また、本発明の実施例１では、インクジェット方式の印刷装置２に印刷させるための印刷データに基づいて印刷プレビューを表示する表示装置１を例に挙げて説明したが、印刷装置は、インクジェット方式に限らず、例えば、孔版印刷装置等の他の種類の印刷装置でもよい。
【００８７】
ただし、他の印刷装置に印刷させるための印刷データに基づいて印刷プレビューを表示する場合、他の印刷装置に応じた設定項目及び設定値を設定する必要がある。例えば、孔版印刷装置に印刷させるための印刷データに基づいて印刷プレビューを表示する場合、図９に示すような設定項目及び設定値を設定する。
【００８８】
これにより、孔版印刷装置に印刷させるための印刷データに基づいて印刷プレビューを表示する場合においても、印刷プレビューの表示が要求された場合に、設定された設定値に基づいて生成された印刷プレビュー画像データを記憶し、記憶された印刷プレビュー画像データに基づいて、表示部４に印刷プレビューを一括表示させるので、利用者がプレビュー画面毎にそれぞれ印刷設定に関する操作を行うことなく、プレビュー画面を表示することができる。
【符号の説明】
【００８９】
１…表示装置
２…印刷装置
４…表示部
５…入力部
１０…印刷システム
１１…ＣＰＵ
１２…ＲＯＭ
１３…ＲＡＭ
１４…印刷インタフェース
１５…ハードディスクドライブ
１６…ＲＯＭドライブ
１７…通信インタフェース
１８…入力インタフェース
１９…出力インタフェース
２０…バス
１０１…印刷プレビュー設定部
１０２…印刷プレビュー画像生成部
１０３…優先度設定部
１０４…表示制御部
１３１…設定記憶部
１３２…印刷プレビュー画像記憶部
【図１】
2011113180.tif 000003
【図２】
2011113180.tif 000004
【図３】
2011113180.tif 000005
【図４】
2011113180.tif 000006
【図５】
2011113180.tif 000007
【図６】
2011113180.tif 000008
【図７】
2011113180.tif 000009
【図８】
2011113180.tif 000010
【図９】
2011113180.tif 000011